(57)【要約】【課題】止水性を向上することが可能な止水装置を提供する。【解決手段】止水装置１は、止水シート１０と、回転部材２４と、支柱部２１１ａと、押圧部材２６と、固定機構２７とを備えている。止水シート１０は、シート状である。回転部材２４は、止水シート１０が固定され、止水シート１０を巻き回し可能である。支柱部２１１ａは、回転部材２４から引き出された状態の止水シート１０が押圧される。押圧部材２６は、止水シート１０を支柱部２１１ａに押圧する。固定機構２７は、押圧部材２６を支柱部２１１ａから所定距離Ｌ１の位置に固定する。【選択図】図１５
2019210735.tif 000002
【特許請求の範囲】
【請求項１】
シート状の止水部材と、
前記止水部材が固定され、前記止水部材を巻き回し可能な回転部材と、
前記回転部材から引き出された状態の前記止水部材が押圧される被押圧部と、
前記止水部材を前記被押圧部に押圧する押圧部材と、
前記押圧部材を前記被押圧部に対して所定距離の位置に固定する固定機構と、を備えた、
止水装置。
【請求項２】
前記止水部材は、引き出し方向に対して垂直な方向に沿って形成された複数のリブを有し、
前記複数のリブは、前記被押圧部に押圧される面の反対側の面に形成されている、
請求項１に記載の止水装置。
【請求項３】
前記押圧部材の幅は、隣り合う前記リブの間隔よりも大きい、
請求項２に記載の止水装置。
【請求項４】
前記止水部材は、
止水部材本体と、
前記止水部材本体の前記被押圧部に押圧される部分に配置された弾性部材と、を有する、
請求項１に記載の止水装置。
【請求項５】
前記止水部材は、引き出した際に、前記被押圧部に押圧される面が、水の浸入を防ぐ所定領域側に配置されるように、前記回転部材に巻きつけられている、
請求項１に記載の止水装置。
【請求項６】
前記止水部材を収納可能な筐体部を更に備え、
前記回転部材は、前記筐体部の内側に回転可能に配置されており、
前記被押圧部は、前記筐体部の一部である、
請求項１に記載の止水装置。
【請求項７】
前記筐体部の開口部に配置された開閉可能な扉を更に備え、
前記被押圧部は、前記開口部の縁に配置され、
前記押圧部材および前記固定機構は、前記扉に支持されている、
請求項６に記載の止水装置。
【請求項８】
前記固定機構は、トグルクランプである、
請求項１に記載の止水装置。
【発明の詳細な説明】
【技術分野】
【０００１】
本発明は、止水装置に関する。
【背景技術】
【０００２】
近年、ゲリラ豪雨や河川の氾濫等の緊急時等において、建造物や地下街への雨水の浸入を防止するために水の浸入口をシートで閉塞する止水装置が設けられている（例えば、特許文献１参照）。
【０００３】
特許文献１に示す止水装置では、防水シートが収納部に収納されており、緊急時には防水シートを収納部から取り出し、収納部の扉に設けられた保持部に防水シートの端を上方から差し込むことによって水の浸入口を閉塞するように防水シートを設置していた。
【０００４】
そして、押し寄せてくる水圧を利用する自己シールによって屋内側への水の浸入を防止していた。
【先行技術文献】
【特許文献】
【０００５】
【特許文献１】特許第６１９０１６３号公報
【発明の概要】
【発明が解決しようとする課題】
【０００６】
しかしながら、上記従来の止水装置では、水圧が十分にかからない低水の際に防水シートを固定する軸より水が屋内側に浸入するため、十分な止水効果が得られない場合があった。
【０００７】
本発明は、止水性を向上することが可能な止水装置を提供することを目的とする。
【課題を解決するための手段】
【０００８】
第１の発明にかかる止水装置は、止水部材と、回転部材と、被押圧部と、押圧部材と、固定機構とを備えている。止水部材は、シート状である。
【０００９】
回転部材は、止水部材が固定され、止水部材を巻き回し可能である。被押圧部は、回転部材から引き出された状態の止水部材が押圧される。押圧部材は、止水部材を被押圧部に押圧する。固定機構は、押圧部材を被押圧部に対して所定距離の位置に固定する。
【００１０】
このように、押圧部材を被押圧部に対して所定距離の位置に固定することで、一定の圧力で止水部材を被押圧部に押圧することができる。
【００１１】
このため、止水部材と被押圧部の間を一定の圧力で止水することができ、止水性を向上することができる。
【００１２】
第２の発明にかかる止水装置は、第１の発明にかかる止水装置であって、止水部材は、複数のリブを有する。リブは、引き出し方向に対して垂直な方向に沿って形成されている。複数のリブは、被押圧部に押圧される面の反対側の面に形成されている。
【００１３】
これにより、止水部材の強度を向上させることができる。また、引き出し方向に対して垂直に形成することにより、止水部材を巻き回し易くすることができる。なお、本明細書において、垂直とは、誤差範囲内を含み、社会通念上垂直と認められる範囲を含む。
【００１４】
第３の発明にかかる止水装置は、第２の発明にかかる止水装置であって、押圧部材の幅は、隣り合う前記リブの間隔よりも大きい。
【００１５】
これにより、止水部材の表面にリブによって凹凸が形成されていても凹凸を吸収し、止水部材を被押圧部に一定の圧力で押圧することができる。
【００１６】
第４の発明にかかる止水装置は、第１の発明にかかる止水装置であって、止水部材は、止水部材本体と、弾性部材と、を有する。弾性部材は、止水部材本体の被押圧部に押圧される部分に配置されている。
【００１７】
これにより、止水部材と被押圧部の間を密着することができ、止水性を確保することができる。
【００１８】
第５の発明にかかる止水装置は、第１の発明にかかる止水装置であって、止水部材は、引き出した際に、被押圧部に押圧される面が、水の浸入を防ぐ所定領域側に配置されるように、回転部材に巻きつけられている。
【００１９】
これにより、止水部材にかかる水圧によって自己シールの効果も発揮できるため、より安定して止水することができる。
【００２０】
第６の発明にかかる止水装置は、第１の発明にかかる止水装置であって、筐体部を更に備える。筐体部は、止水部材を収納可能である。
【００２１】
回転部材は、筐体部の内側に回転可能に配置されている。被押圧部は、筐体部の一部である。
【００２２】
これにより、筐体部に止水部材を収納できる。
第７の発明にかかる止水装置は、第６の発明にかかる止水装置であって、扉を更に備える。扉は、筐体部の開口部に配置されており、開閉可能である。被押圧部は、開口部の縁に配置されている。押圧部材および固定機構は、扉に支持されている。
【００２３】
これにより、扉を閉めた状態で止水部材を被押圧部に押圧することができる。
第８の発明にかかる止水装置は、第１の発明にかかる止水装置であって、固定機構は、トグルクランプである。
【００２４】
これにより、容易に、押圧部材を被押圧部から所定距離の位置に固定させることができる。
【発明の効果】
【００２５】
本発明によれば、止水性の向上した止水装置を提供することができる。
【図面の簡単な説明】
【００２６】
【図１】本発明にかかる実施の形態における止水装置の水の浸入口を閉塞した状態を示す全体斜視図。
【図２】図１の止水シートを巻き回した状態を示す図。
【図３】図１の止水装置において止水シートを収納部に収納した状態を示す図。
【図４】図１の止水装置において止水シートを引き出した状態を示す図。
【図５】（ａ）図１の止水シートの正面図、（ｂ）図５（ａ）のＳ部拡大図。
【図６】（ａ）図１の止水シートの平面図、（ｂ）図６（ａ）のＴ部拡大図。
【図７】図１の止水シートの背面図。
【図８】図１の止水シートの側面図。
【図９】図１の収納部を示す正面図。
【図１０】図５のＡＡ´間の矢示断面図。
【図１１】図１０の状態から扉を開いた状態を示す図。
【図１２】図１の止水装置の図１０のＣＣ´間における断面図。
【図１３】図１の止水装置から扉を開いて止水シートを引き出した状態を示す図。
【図１４】図１３の状態から扉を閉めた状態を示す図。
【図１５】押圧部材で止水シートを支柱部に押圧している状態を示す図。
【図１６】本発明にかかる実施の形態の変形例を示す図。
【発明を実施するための形態】
【００２７】
本発明にかかる実施の形態の止水装置１について図面を参照しながら説明する。
＜１．構成＞
（止水装置１の概要）
図１は、本実施の形態の止水装置１の水の浸入口を閉塞した状態を示す全体斜視図である。本実施の形態の止水装置１は、例えば、ゲリラ豪雨や河川の氾濫等の災害発生時に建造物や地下街等への雨水の浸入を防止する。
【００２８】
止水装置１は、止水シート１０（止水部材の一例）と、収納部１５とを有する。未使用時には、止水シート１０は、図２に示すような巻き回された状態で、図３に示すように収納部１５に収納されている。
【００２９】
なお、図２では、図３と上下逆に図示されている。使用時には、止水シート１０は、図４に示すように引き出される。止水シート１０の第１端側には、図１に示すように、溝が形成された既設の溝部材１０１に挿入される挿入ゴム１４が取り付けられている。
【００３０】
この挿入ゴム１４が既設の溝部材１０１に挿入され、その後、収納部１５に設けられている固定機構２７によって押圧部材２６が止水シート１０を収納部１５に押し付ける。
【００３１】
これによって、止水シート１０と収納部１５の間が止水される。なお、止水シート１０と設置面Ｔの間は、止水シート１０の下部に設けられている第１弾性部材１２によって止水される。
【００３２】
以上のように、止水シート１０によって建造物や地下街への水の浸入口Ｅを閉塞することができる。
【００３３】
（止水シート１０）
図５（ａ）は止水シート１０の正面図である。図５（ｂ）は、図５（ａ）のＳ部拡大図である。図６（ａ）は、止水シート１０の平面図である。
【００３４】
図６（ｂ）は、図６（ａ）のＴ部拡大図である。図７は、止水シート１０の背面図である。
【００３５】
図８は、止水シート１０の側面図である。図５から図８では、挿入ゴム１４は省略されている。
【００３６】
止水シート１０は、止水シート本体１１（止水部材本体の一例）と、第１弾性部材１２と、第２弾性部材１３（図７参照）と、有する。
【００３７】
（止水シート本体１１）
止水シート本体１１は、例えば、炭素繊維やガラス繊維を含む樹脂製の繊維強化シートである。止水シート本体１１は、図１に示すように、閉塞状態において浸水領域Ｓ１と所定領域Ｓ２とを隔てる壁面を形成する。
【００３８】
なお、止水シート本体１１を形成する樹脂としては、例えば、ポリエチレン樹脂、ポリプロピレン樹脂、ナイロン樹脂、ポリメタクリル樹脂、ポリ塩化ビニル樹脂、ポリカーボネート樹脂等の熱可塑性樹脂、あるいは、ウレタン樹脂、ビニルエステル樹脂、エポキシ樹脂等の熱硬化性樹脂を用いることができる。
【００３９】
止水シート本体１１は、図５（ａ）に示すように、長方形状のシート状の部材である。止水シート本体１１は、図６（ａ）に示すように、左右方向の第１端１１ａに挿入ゴム１４が取り付けられている。第１端１１ａに対向する第２端１１ｂは、後述する回転部材２４に固定されている。
【００４０】
また、止水シート本体１１は、図１に示すように水の浸入口を閉塞するように設置した際に設置面Ｔ側に配置される端面１１ｃと、端面１１ｃと対向する端面１１ｄとを有する。すなわち、設置状態では、端面１１ｃは下端面となり、端面１１ｄは上端面となる。
【００４１】
また、止水シート本体１１は、設置時に浸水領域Ｓ１側に配置される第１面１６と、設置時に所定領域Ｓ２側に配置される第２面１７とを有する。第１面１６と第２面１７は、止水部材の表裏の主面である。
【００４２】
第１面１６には、複数のリブ１８が形成されている。リブ１８は、補強のために設けられており、例えば、止水シート本体１１と同様の素材によって形成されている。リブ１８は、端面１１ｃおよび端面１１ｄに対して垂直に、端面１１ｃから端面１１ｄまで形成されている。
【００４３】
言い換えると、リブ１８は、図１に示す設置状態において、鉛直方向に沿って形成されている。また、リブ１８は、止水シート１０の引き出し方向（図１の矢印Ｈ参照）に対して垂直に形成されているともいえる。
【００４４】
このように複数のリブ１８を設けることにより、止水シート１０の強度を向上させて、浸水領域Ｓ１側の水位が上昇した場合でも、止水シート１０が略鉛直方向において折れ曲がる等の不具合の発生を防止することができる。
【００４５】
また、複数のリブ１８が形成されている第１面１６は、図１に示すように、止水シート１０の設置状態において、浸水領域Ｓ１側に配置される。
【００４６】
これにより、浸水領域Ｓ１側の水位が上昇してきた場合でも、第１面１６において、水圧を抑えることができる。
【００４７】
（第１弾性部材１２）
第１弾性部材１２は、止水シート本体１１の端面１１ｃと設置面Ｔ（図１参照）との間の隙間を埋めるために、止水シート本体１１の端面１１ｃに沿って設けられたゴム製の部材である。
【００４８】
第１弾性部材１２は、図８に示すように、第２面１７の端面１１ｃ近傍に接着や締結等により固定されている。
【００４９】
第１弾性部材１２は、止水シート本体１１が引き出された状態において止水シート本体１１と設置面Ｔの間に挟まれて配置される。
【００５０】
これにより、止水シート１０と設置面Ｔとの間の隙間から水が所定領域Ｓ２側へ浸水してくることを効果的に防止することができる。
【００５１】
（第２弾性部材１３）
第２弾性部材１３は、板状のゴム部材であって、図６（ａ）および図７に示すように、止水シート本体１１の第２端１１ｂ側寄りに、端面１１ｃ、１１ｄに対して垂直に配置されている。第２弾性部材１３は、止水シート本体１１の第２面１７に配置されている。
【００５２】
第２弾性部材１３は、図６（ｂ）に示すように、隣り合うリブ１８の間隔Ｗ１よりも大きい幅Ｗ２を有している。
【００５３】
第２弾性部材１３は、後述する押圧部材２６によって止水シート１０が押圧される際に筐体部２１（詳細には、支柱部２１１ａの被押圧面２１１ｓ）に押し付けられる。
【００５４】
（収納部１５）
図９は、止水装置１の正面図である。図１０は、図９のＡＡ´間の矢示断面図である。図１１は、図１０の状態から扉２２を開いた状態を示す図である。図１２は、止水装置１の内部構成を示す図であり、図１０のＢＢ´間の位置における断面図である。
【００５５】
収納部１５は、筐体部２１（図９参照）と、扉２２（図９参照）と、軸芯２３（図１０参照）と、回転部材２４（図１０参照）と、巻取り機構２５（図１２参照）と、押圧部材２６（図９参照）と、固定機構２７（図９参照）とを有する。
【００５６】
（筐体部２１）
筐体部２１は、図１に示すように、壁面に埋め込まれるように設置されている。筐体部２１は、図２に示すように、略直方体形状の箱であって、巻き回された状態の止水シート１０が収納される。
【００５７】
筐体部２１は、図１０に示すように、４角に鉛直方向に配置された支柱部２１１ａ、２１１ｂ、２１１ｃ、２１１ｄと、支柱部２１１ａと支柱部２１１ｂの間に配置された側板２１２ａと、支柱部２１１ｂと支柱部２１１ｃの間に配置された側板２１２ｂと、支柱部２１１ｃと支柱部２１１ｄの間に配置された側板２１２ｃとを有する。
【００５８】
支柱部２１１ｄと支柱部２１１ａの間には、開口部２１３が形成されている。支柱部２１１ａは、被押圧部の一例に対応する。支柱部２１１ａは、支柱部２１１ｄ側に被押圧面２１１ｓを有している。この被押圧面２１１ｓは、開口部２１３の縁を形成しているともいえる。被押圧面２１１ｓには、止水シート１０が押圧される。
【００５９】
（扉２２）
扉２２は、開口部２１３に開閉可能に配置されており、一方の支柱部２１１ｄ側の第１端２２ａを支点として、第２端２２ｂが回動する。図１１に示すように、扉２２が締められた状態では、扉２２の第２端２２ｂは、支柱部２１１ｄと隣り合って配置されている。
【００６０】
扉２２は、止水シート１０を引き出す際、あるいは止水シート１０を巻き取って筐体部２１内に収納する際に開けられる。
【００６１】
扉２２の第２端２２ｂは、閉じられた状態において支柱部２１１ｄから支柱部２１１ａに向かう方向に対して垂直な面を形成している。
【００６２】
また、扉２２が閉まった状態において、扉２２の第２端２２ｂ側の側板部分２２ｃは、第１端２２ａ側の側板部分２２ｄよりも、筐体部２１の内側に位置している。そして、側板部分２２ｃの支柱部２１１ａ側の端から、側板部分２２ｃに概ね垂直に外側に向かって上記第２端２２ｂが形成されている。
【００６３】
（軸芯２３）
軸芯２３（支持部材の一例）は、図１２に示すように、その軸方向が上下方向に沿うように筐体部２１の内部に配置されている。軸芯２３は、その上端が筐体部２１の上面２１ａに固定されており、その下端が底面２１ｂに固定されている。
【００６４】
（回転部材２４）
回転部材２４は、軸芯２３の周囲に配置されており、軸芯２３の軸方向（本実施の形態では上下方向）を中心として回転する。回転部材２４には、止水シート１０の第２端端１１ｂが固定されている。
【００６５】
回転部材２４は、図１２に示すように、円筒部３１と、端部３２と、を有する。
円筒部３１は、円筒状であって軸芯２３の周囲に配置され、止水シート１０が巻き付けられる部分である。
【００６６】
端部３２には、ギヤが形成されている。端部３２は、円筒部３１の上端に設けられている。ギヤは、歯すじが軸芯２３の軸方向に沿って形成されている。ギヤは、後述する巻取り機構２５のギヤと噛み合っており、巻取り機構２５を動かすことによって回転する。これにより円筒部３１も回転し、止水シート１０を巻き取ることができる。
【００６７】
（巻取り機構２５）
巻取り機構２５は、端部３２に形成されているギヤを回転させる。巻取り機構２５は、図１２に示すように、ハンドル４１と、第１伝達軸４２と、第１伝達ギヤ４３と、第２伝達軸４４と、第２伝達ギヤ４５と、第３伝達ギヤ４６とを有する。
【００６８】
ハンドル４１は、図９に示すように、扉２２の上側に設けられている。止水シート１０を回転部材２４に巻き取る際に作業者がハンドル４１を回転する。
【００６９】
第１伝達軸４２は、回転可能に筐体部２１に支持されている。第１伝達軸４２は、その軸方向が水平に配置されている。第１伝達軸４２の一端は筐体部２１の外側に配置されており、ハンドル４１に接続されている。第１伝達軸４２の他端は、筐体部２１の内側に配置されている。
【００７０】
第１伝達ギヤ４３は、傘歯車であって、第１伝達軸４２の筐体部２１内に配置されている他端に固定されている。
【００７１】
第２伝達軸４４は、上下方向に沿って、回転可能に筐体部２１に支持されている。第２伝達軸４４は、その上端において筐体部２１の上面２１ａの内側に支持されている。
【００７２】
第２伝達ギヤ４５は、第２伝達軸４４の上部近傍に固定されている。第２伝達ギヤ４５は、傘歯車であって、第１伝達ギヤ４３と噛み合っている。
【００７３】
第３伝達ギヤ４６は、第２伝達ギヤ４５の下側において、第２伝達軸４４に固定されている。第３伝達ギヤ４６は、その歯すじが第２伝達軸４４の軸方向に沿って形成されている。
【００７４】
第３伝達ギヤ４６は、端部３２のギヤと噛み合っている。
ハンドル４１を回転すると、第１伝達軸４２が回転し、第１伝達ギヤ４３も回転する。第１伝達ギヤ４３の回転により、第２伝達ギヤ４５も回転し、第２伝達ギヤ４５が固定されている第２伝達軸４４も回転する。
【００７５】
第２伝達軸４４の回転により、第３伝達ギヤ４６が回転し、第３伝達ギヤ４６と噛み合っているギヤ部３２２が回転する。これにより回転部材２４が回転し、止水シート１０が回転部材２４に巻き取られる。
【００７６】
（押圧部材２６）
押圧部材２６は、鉛直方向に長い金属製の板部材（図３参照）であり、扉２２に移動可能に支持されている。押圧部材２６は、止水シート１０が引き出された状態において、止水シート１０を押圧し、止水シート１０を支柱部２１１ａに押し付ける（後述する図１５参照）。
【００７７】
押圧部材２６は、扉２２が閉じられた状態において、図１０に示すように、扉２２の第２端２２ｂと支柱部２１１ａの間に配置されている。押圧部材２６は、第２端２２ｂと反対側に押圧面２６ａを有している。押圧面２６ａは、支柱部２１１ａに対向して配置されている。
【００７８】
なお、図１０に示す押圧面２６ａの幅Ｗ３は、隣り合うリブ１８の間隔Ｗ１よりも大きく形成されている。これにより、止水部材の表面にリブによって凹凸が形成されていても凹凸を吸収し、止水部材を支柱部に一定の圧力で押圧することができる。
【００７９】
（固定機構２７）
固定機構２７は、トグル機構であって、押圧部材２６を支柱部２１１ａに対して所定距離Ｌ１で固定する。固定機構２７は、固定機構２７と押圧部材２６によって、トグルクランプを構成する。
【００８０】
固定機構２７は、図９に示すように、レバー部５１と、レバー支持部５２と、移動バー５３とを有している。レバー部５１とレバー支持部５２と移動バー５３は、２組設けられており、２組は、上下方向に配置されている。
【００８１】
レバー部５１は、作業者によって把持され、図９に示すように、上位置Ｐ１と下位置Ｐ２の間を回動可能である。レバー部５１は、扉２２の第２端２２ｂの支柱部２１１ｄ側に配置されている。レバー部５１の回動面は、図１０に示すように、扉２２の側板部分２２ｃと概ね平行である。
【００８２】
レバー部５１は、側板部分２２ｃに対向して配置されているため、扉２２が占められた状態において、側板部分２２ｄよりも外側に突出しない。これにより、通行者などはレバー部５１に引っ掛かることを防止できる。
【００８３】
レバー支持部５２は、レバー部５１を回動可能に第２端２２ｂに支持する。移動バー５３は、扉２２が閉められている状態において、支柱部２１１ｄから支柱部２１１ａに向かう方向（矢印Ｆ参照）に沿って配置されている。
【００８４】
移動バー５３は、第２端２２ｂを貫通して配置されている。移動バー５３の基端は、レバー支持部５２に移動可能に支持されており、移動バー５３の先端は、押圧部材２６に固定されている。
【００８５】
扉２２を閉めた状態において、上下に配置されているレバー部５１を上位置Ｐ１から下位置Ｐ２に回動させることにより、上下それぞれの移動バー５３が支柱部２１１ａ側に移動する。これにより、移動バー５３の先端に固定されている押圧部材２６が支柱部２１１ａの被押圧面２１１ｓから所定距離Ｌ１の位置に移動する。
【００８６】
被押圧面２１１ｓから所定距離Ｌ１の位置に配置された押圧部材２６が実線で示されており、第２端２２ｂ側に配置された押圧部材２６が二点鎖線で示されている。
【００８７】
＜２．動作＞
次に、本発明にかかる実施の形態の止水装置１から止水シート１０を引き出して設置する動作について説明する。
【００８８】
図１３に示すように、扉２２を開いた後、止水シート１０が引き出される。止水シート１０は、軸芯２３を平行に配置されたガイドローラ２８を介して引き出される。ガイドローラ２８は、筐体部２１の上面２１ａと底面２１ｂに回動可能に固定されている。
【００８９】
止水シート１０が引き出された後、図１４に示すように、扉２２が閉められる。
そして、作業者が固定機構２７のレバー部５１を上位置Ｐ１から下位置Ｐ２に向かって回動することにより、図１５に示すように、押圧部材２６が支柱部２１１ａの被押圧面２１１ｓに向かって移動して支柱部２１１ａから所定距離Ｌ１の位置で固定される。これにより、押圧部材２６が止水シート１０に当接し、止水シート１０を支柱部２１１ａに押圧する。
【００９０】
ここで、第２弾性部材１３は、止水シート１０を出し切ったときに、図１４に示すように支柱部２１１ａに対向するように止水シート１０に設けられているため、押圧部材２６の押圧により図１５に示すように止水シート本体１１と支柱部２１１ａの間で第２弾性部材１３が圧縮される。
【００９１】
これにより、止水シート１０と支柱部２１１ａの間を止水することができる。また、作業者の感覚に任せず、誰が作業を行った場合であっても支柱部２２１ａから一定距離Ｌ１分の位置に押圧部材２６を固定することができるため、一定の圧力で止水シート１０を支柱部２１１ａに押圧することができる。
【００９２】
なお、止水シート１０を収納部１５に収納する際には、レバー部５１を下位置Ｐ２から上位置Ｐ１に回動して、押圧部材２６を止水シート１０から離間させる。その後、扉２２を開放して、ハンドル４１を回転することにより、回転部材２４が回転して、止水シート１０が回転部材２４に巻き取られる。巻取り完了後、扉２２を締めることによって、止水シート１０が収納部１５に収納される。
【００９３】
［他の実施形態］
以上、本発明の一実施形態について説明したが、本発明は上記実施形態に限定されるものではなく、発明の要旨を逸脱しない範囲で種々の変更が可能である。
【００９４】
（Ａ）
上記実施の形態では、トグル機構により押圧部材２６を支柱部２１１ａから所定距離Ｌ１の位置で固定していたが、トグル機構に限るものではない。例えば、図１６に示す固定機構１２７に示すように、ネジをまわすことによって押圧部材２６を移動させてもよい。
【００９５】
固定機構１２７は、ネジ６１と、過締込防止ナット６２と、を有する。ネジ６１と過締込防止ナット６２は上下に２組配置されている。
【００９６】
ネジ６１は、回転可能に第２端２２ｂに支持されている。ネジ６１は、矢印Ｆ方向に沿って配置されている。ネジ６１のヘッド６１ａは、第２端２２ｂの支柱部２１１ｄ側に配置されており、ネジ６１の先端６１ｂは、第２端２２ｂの支柱部２１１ａ側に配置されている。
【００９７】
ネジ６１の先端６１ｂは、押圧部材２６に対して回転可能であり、押圧部材２６を支持している。ネジ６１を所定方向に回転させることにより、押圧部材２６を支柱部２１１ａに向かって移動させることができる。また、ネジ６１のヘッド６１ａが過締込防止ナット６２に当接することにより、それ以上ネジ６１を回転させることができなくなるため、押圧部材２６を支柱部２１１ａから所定距離Ｌ１で停止することができる。
【００９８】
なお、支柱部２１１ａから所定距離Ｌ１に位置する押圧部材２６及び、その時のヘッド６１ａが二点鎖線で示され、第２端２２ｂ側に位置する押圧部材２６及び、その時のヘッド６１ａが実線で示されている。
【００９９】
これにより、止水シート１０引き出した状態でネジ６１を回転させることにより、一定の圧力で止水シート１０を支柱部２１１ａに押圧することができる。
【０１００】
（Ｂ）
上記実施の形態では、止水シート１０にリブ１８が形成された第１面１６が浸水領域Ｓ１側に配置されるが、これに限られるものではなく、第１面１６が所定領域Ｓ２側に設置されてもよい。
【０１０１】
（Ｃ）
上記実施の形態では、止水シート本体１１に複数のリブ１８が形成されているが、複数のリブ１８が形成されていなくてもよい。
【０１０２】
（Ｄ）
上記実施の形態では、収納部１５が壁面に埋め込まれるように設置された例を挙げて説明した。しかし、本発明はこれに限定されるものではない。
【０１０３】
例えば、ゲリラ豪雨や河川の氾濫等のおそれがある場所に収納部３０を持ち運んで、止水構造を設置するようにしてもよい。
【０１０４】
（Ｅ）
上記実施形態では、収納部１５から引き出した止水シート１０の第１端１１ａ側の挿入ゴム１４を、既設の溝部材に挿入して固定する例を挙げて説明した。しかし、本発明はこれに限定されるものではない。
【０１０５】
例えば、止水シート１０の第１端１１ａ側を固定する手段として、既設の溝部材１０１ではなく、専用のフレーム部材等を用いてもよい。
【０１０６】
（Ｆ）
上記実施形態では止水シート１０に第２弾性部材１３が取り付けられた構造を説明した。しかし、本発明はこれに限定されるものでは無い。
【０１０７】
例えば、第２弾性部材１３が被押圧面２１１ｓに取り付けられていても良い。
（Ｇ）
上記実施形態では扉２２が筐体部２１に取り付けられた構造について説明した。しかし本発明はこれに限定されるものでは無い。
【０１０８】
例えば、筐体部２１に扉が無く止水シートを直接引き出す隙間をもった構造体にして、固定機構２７が筐体部２１の隙間から引き出した止水シート１０を固定するように取り付けられた構造としても良い。
【産業上の利用可能性】
【０１０９】
本発明の止水装置は、止水性を向上することが可能な効果を奏し、浸水を防止するための手段として広く適用可能である。
【符号の説明】
【０１１０】
１        ：止水装置
１０      ：止水シート
２４      ：回転部材
２６      ：押圧部材
２７      ：固定機構
２１１ａ  ：支柱部
Ｌ１      ：所定距離
【図１】
2019210735.tif 000003
【図２】
2019210735.tif 000004
【図３】
2019210735.tif 000005
【図４】
2019210735.tif 000006
【図５】
2019210735.tif 000007
【図６】
2019210735.tif 000008
【図７】
2019210735.tif 000009
【図８】
2019210735.tif 000010
【図９】
2019210735.tif 000011
【図１０】
2019210735.tif 000012
【図１１】
2019210735.tif 000013
【図１２】
2019210735.tif 000014
【図１３】
2019210735.tif 000015
【図１４】
2019210735.tif 000016
【図１５】
2019210735.tif 000017
【図１６】
2019210735.tif 000018